(57)【要約】【課題】ヒューズの応力を軽減して破損を低減できるコンパクト形ランプおよび照明器具を提供する。【解決手段】発光部２と；点灯回路部品４ｂを実装した回路基板４ａを有し、発光部を点灯させる点灯回路４と；一端側に発光部を支持する支持部３ｂ、他端側に口金ピン５ａ，５ｂが配設され、点灯回路４を収容する収容部１１を有するカバー３と；口金ピン５ａ，５ｂと同じ軸方向に配置された状態でカバー３の収容部内に収容されるヒューズ６と；を具備している。【選択図】  図１
2012094451.tif 000002
【特許請求の範囲】
【請求項１】
発光部と；
点灯回路部品を実装した回路基板を有し、発光部を点灯させる点灯回路と；
一端側に発光部を支持する支持部、他端側に口金ピンが配設され、点灯回路を収容する収容部を有する基体と；
口金ピンと同じ軸方向に配置された状態で基体の収容部内に収容されるヒューズと；
を具備していることを特徴とするコンパクト形ランプ。
【請求項２】
ヒューズは、その軸方向に並設された点灯回路基板と口金ピンとの間に配置されていることを特徴とする請求項１記載のコンパクト形ランプ。
【請求項３】
基体収容部側の口金ピンに、ヒューズの軸方向一端部を挿入させる挿入していることを特徴とする請求項１ないし３のいずれか一記載のコンパクト形ランプ。
【請求項４】
請求項１ないし３のいずれか一記載のコンパクト形ランプと；
コンパクト形ランプの口金ピンが着脱可能に接続されるソケットを有し、コンパクト形ランプを装着した照明器具本体と；
を具備していることを特徴とする照明器具。
【発明の詳細な説明】
【技術分野】
【０００１】
本発明の実施形態は、点灯回路を具備したコンパクト形ランプおよびこのコンパクト形ランプを装着した照明器具に関する。
【背景技術】
【０００２】
従来、この種のコンパクト形ランプの一例としては、コンパクト形蛍光ランプが知られている（例えば、特許文献１参照）。この種のコンパクト形蛍光ランプは、例えばＵ字形やＨ字形等の屈曲形蛍光ランプの電極側端部に口金を設け、この口金内に点灯回路を配設している。この点灯回路には、寿命末期や雷サージ等による異常な過電流の流入を阻止したり、回路部品の短絡破壊による異常電流に対する安全機能として入力部に電流ヒューズや温度ヒューズ等のヒューズを設けたものがある。これらヒューズは、その軸方向両端に予め固着してある一対のリード線の一方を点灯回路に接続し、他方のリード線を口金ピン内に軸方向に挿通して開口外端から外方へ突出させ、この開口外端部をかしめ等の圧接により閉じることにより、このリード線を口金ピンに機械的かつ電気的に接続している。この後、口金ピンのかしめ端部から外方へ突出するリード線の外方突出端を切断している。
【先行技術文献】
【特許文献】
【０００３】
【特許文献１】特開平１１−３７９５号公報
【発明の概要】
【発明が解決しようとする課題】
【０００４】
しかしながら、従来のヒューズの一対のリード線を、点灯回路基板と口金ピンにそれぞれ接続する工程で破断等の破損が発生し易いという課題がある。
【０００５】
すなわち、一方のリード線を回路基板に取り付けた後、他方のリード線を口金ピンに固定する際に、リード線の弛みをとるためにこのリード線を外方へ引張るが、この引張りの際にヒューズに接続されたリード線の接続破断等の虞がある。
【０００６】
本発明はこのような事情を考慮してなされたもので、ヒューズが受ける応力を軽減して接続における破損を低減できるコンパクト形ランプおよび照明器具を提供することを目的とする。
【課題を解決するための手段】
【０００７】
本発明の実施形態によれば、発光部と；点灯回路部品を実装した回路基板を有し、発光部を点灯させる点灯回路と；一端側に発光部を支持する支持部、他端側に口金ピンが配設され、点灯回路を収容する収容部を有する基体を具備している。
【０００８】
また、本発明の実施形態によれば、口金ピンと同じ軸方向に配置された状態で基体の収容部内に収容されるヒューズと；を具備している。
【発明の効果】
【０００９】
本発明の実施形態によれば、ヒューズは、これに予め固着されている一対のリード線および口金ピンと同じ軸方向（長手方向）に並設されているので、このヒューズの口金ピンに接続されるリード線が受ける引張応力によるヒューズの破損の低減を期待できる。
【図面の簡単な説明】
【００１０】
【図１】本発明の第１の実施形態に係るコンパクト形ランプの一部切欠概略側面図。
【図２】同，概略正面図。
【図３】本発明の第２の実施形態に係るコンパクト形ランプの要部の一部を縦断面で示す拡大図。
【図４】本発明の第３の実施形態に係る照明器具の一部切欠正面図。
【発明を実施するための形態】
【００１１】
以下、本発明の一実施の形態について、図面を参照して説明する。なお、複数の図面中、同一または相当部分には同一符号を付している。
【００１２】
図１は、本発明の第１の実施形態に係るコンパクト形ランプの一部切り欠き概略側面図、図２は同じく一部切り欠き概略正面図である。
【００１３】
これら図１，２に示すようにコンパクト形ランプ１は、発光部の一例である発光管２、基体の一例であるカバー３、点灯回路４、一対の口金ピン５ａ，５ｂおよびヒューズ６を有して構成されている。
【００１４】
発光管２は、透光性を有する例えば有蓋円筒状の所要大のガラスバルブ７内に、これよりも小形のＬＥＤ（発光ダイオード）発光モジュール８を収容している。ガラスバルブ７は透光性樹脂製の樹脂バルブでもよく、また、有蓋角筒でもよい。さらに、発光管２は単一本でも複数本でもよい。
【００１５】
ＬＥＤ発光モジュール８は、電気絶縁部材により例えば角柱や角筒等の所要形状に形成されたモジュール基体８ａの各外面に、ＬＥＤ発光部８ｂをそれぞれ一体または着脱可能に配設している。各ＬＥＤ発光部８ｂは、例えば図示省略の絶縁基板の一例である白色矩形平板状のセラミック基板の外面上に、図示省略のＣＯＢ（Ｃｈｉｐ  Ｏｎ  Ｂｏａｒｄ）をほぼ全面的に実装することにより、例えば青黄色系擬似発光ダイオードに構成されている。
【００１６】
すなわち、セラミック基板の外面上に、銅箔等により所要形状の配線パターンを形成すると共に、例えば青色発光の複数のＬＥＤベアチップを、マトリクスに配列して固着し、これらＬＥＤベアチップをワイヤボンディングにより配線パターンに電気的に接続している。そして、これらＬＥＤベアチップと配線パターン上を、黄色発光の蛍光体を含有したシリコーン樹脂を封止体として被着することにより封着し、セラミック基板上に固着している。セラミック基板は、その外部に露出する表面に白色塗料を塗布することにより、局所的に白色の反射面に構成してもよい。
【００１７】
そして、モジュール基体８ａは、その図１，２中、下端部であるモジュール基端部８ｃを、シリコーン樹脂等の耐熱性接着剤８ｄによりガラスバルブ７の開口基端部７ａ内に固着している。
【００１８】
なお、ＬＥＤ発光モジュール８は、モジュール基体８ａの各外面に複数の砲弾形（ＳＭＤ）発光ダイオードを配設したものでもよい。
【００１９】
また、ＬＥＤ発光モジュール８は、モジュール基体８ａの外面に、例えば青色発光の複数のＬＥＤベアチップを配設し、ガラスバルブ７の内面に黄色発光の蛍光体を塗布して白色光を発光するように構成してもよく、さらに、白色光以外の色光を発光するように構成してもよい。
【００２０】
基体の一例であるカバー３は、例えばポリブチレンテレフタレート（ＰＢＴ）樹脂からなり、外面がガラスバルブ７の開口基端部（図１，図２では下端部）７ａよりも幅広の偏平な形状を有する略直方体のカバー本体３ａを基体本体として有している。カバー本体３ａは、支持部としての上面部３ｂに形成されたバルブ挿入孔３ｃ内に、ガラスバルブ７の開口基端部７ａが所定長挿入されている。ガラスバルブ７の開口基端部７ａが挿入孔３ｃ内に挿入された状態で、耐熱性のバルブ用接着材９が塗布されている。これにより、ガラスバルブ７の開口基端部７ａが接着材９により、カバー本体３ａの上面部３ｂに固定されている。すなわち、カバー本体３ａの上面部３ｂは、発光管２の開口基端部７ａを支持する支持部を構成している。
【００２１】
また、カバー本体３は、その底面部（図１，２では下面）３ｄのほぼ中央部に、略箱状のカバー凸部１０を外方（図中下方）に突出し、かつカバー本体３ａ内の収容部１１と連通するように形成している。カバー凸部１０内には、点灯回路４の一部の電子部品、例えば電解コンデンサｃが配置可能な収容空間が形成されている。さらに、カバー本体３ａは、その底面部３ｄに、凸部１０の両側にて、外方に突出するようにして給電用の一対の接続端子としての口金ピン５ａ，５ｂをそれぞれ突設している。口金ピン５ａ，５ｂは、後述する照明器具等の給電用ソケットに挿入され、給電用ソケットから外部電力を受電する。カバー本体３ａは、その図２中左右一対の内壁に、ほぼ同一の高さで内方へ若干突出する左右一対の支持部３ｇ，３ｇをカバー本体３ａの長手方向にそれぞれ突設している。これら左右一対の支持部３ｇ，３ｇは図２に示すように回路基板４ａの図２中、左右両側端部を支持する。また、カバー本体３ａは、左右一対の支持部３ｇ，３ｇの長手方向終端部（図１では下端部）に段部３ｈを形成している。
【００２２】
そして、カバー本体３ａは、その内部に点灯回路４を収容する収容部１１を形成している。点灯回路４は、例えば商用電源の交流を直流に整流する整流回路やＬＥＤベアチップを定電流で点灯させる定電流回路や安全回路等を具備しており、これら回路は、例えばガラスエポキシ材からなる回路基板４ａに複数の点灯回路部品４ｂ，４ｂ等が実装されて形成されている。この回路基板４ａは、カバー本体３ａの内壁に形成した図２中、左右一対の支持部３ｇ，３ｇを挿入ガイドとして回路基板４ａをカバー本体３ａの奥側に形成された段部３ｈまで挿入し、カバー本体３ａ内に収容される。
【００２３】
そして、回路基板４ａは、その点灯回路部品４ｂ，４ｂが実装される実装面がガラスバルブ７の軸方向にほぼ平行をなすように縦配置され、その電気出力側の＋極と−極で一対の電気出力端子用ポスト４ｄ，４ｄを、＋極と−極とで一対をなす複数対の導入線１２ａ，１２ｂ、１２ａ，１２ｂ、…を介して複数のＬＥＤ発光部８ｂの各＋極と−極の図示しない電気入力端子にそれぞれ電気的に接続している。
【００２４】
また、回路基板４ａは、その電気入力側端子に、図２中左右一対のリード線の一例であるリードワイヤー１３ａ，１３ｂの各一端をはんだにより固着する一方、これらリードワイヤー１３ａ，１３ｂの各他端を一対の口金ピン５ａ，５ｂの各先端部（図１，２では下端部）５ｅ，５ｆにかしめ等により接続している。
【００２５】
すなわち、まず一対のリードワイヤー１３ａ，１３ｂの一方、例えば１３ｂは、一方の口金ピン５ｂ内に、挿入され、口金ピン５ｂ内を軸方向にほぼ直線状に挿通し、口金ピン５ｂの開口先端５ｅから外方へ若干突出させる。次に、このリードワイヤー１３ｂの外方突出端部を、口金ピン５ｂの軸方向外方へ引張り、リードワイヤー１３ｂをほぼ直線状に緊張させた状態で、この口金ピン５ｂの開口先端５ｅをかしめる。これにより、この口金ピン５ｂとリードワイヤー１３ｂとを機械的かつ電気的に接続させる。この後、口金ピン５ｂの閉じた開口先端５ｅから外方へ突出している突出部を切断して切り離す。
【００２６】
一方のリードワイヤー、例えば１３ａはヒューズ６の軸方向両端にそれぞれ予め固着されて、軸方向外方へ延在する前後一対のリードワイヤー１４ａ，１４ｂにより置換される。
【００２７】
すなわち、ヒューズ６は、例えば電流ヒューズであり、過電流が通電されたときに溶断して遮断することにより、過電流が回路基板４ａに流入して不具合を発生することを阻止または低減する。
【００２８】
ヒューズ６は、その軸方向両端に、予め一対のリードワイヤー１４ａ，１４ｂを固着しており、これら一対のリードワイヤー１４ａ，１４の軸方向（長手方向）への引張強度は高い。
【００２９】
そして、図１，図２に示すようにヒューズ６は、カバー本体３ａの収容部１１内において、回路基板４ａと一方の口金ピン５ａとの間に配置され、かつ一対のリードワイヤー１４ａ，１４ｂおよび口金ピン５ａの軸方向と同一軸上に配設されている。すなわち、ヒューズ６は、その回路基板４ａ側のリードワイヤー１４ａをヒューズ６の根元から軸方向外方にほぼ直線状に延伸させ、回路基板４ａ上に達した先端部をほぼ直角に曲げ、その曲げ先端部を、回路基板４ａの板厚方向に貫通するスルーホール内に挿通して、回路基板４ａの裏面側に突出させ、この突出端部をはんだ４ｅにより回路基板４ａの裏面に固着すると共に、電気的に接続している。
【００３０】
一方、ヒューズ６は、口金ピン５ａ側のリードワイヤー１４ｂを、ヒューズ６の根元から、一方の口金ピン５ａの開口先端（図２では下端）５ｆの外方まで軸方向にほぼ直線状に延伸させている。すなわち、このリードワイヤー１４ｂは、ヒューズ６の根元からその軸方向外方にほぼ直線状に延在し、口金ピン５ａ内に挿入される。さらに、リードワイヤー１４ｂはこの口金ピン５ａ内を軸方向にほぼ直線状に延伸し、口金ピン５ａの開口先端５ｆから外方へ若干突出する。
【００３１】
このリードワイヤー１４ｂの外方突出端部は、リードワイヤー１４ｂの弛みをとるために、さらに軸方向外方へ引張られ、その状態で口金ピン５ａの開口先端５ｆがかしめられて閉じることにより、口金ピン５ａに機械的かつ電気的に接続される。閉じた口金ピン５ａの開口先端５ｆから若干外方へ突出したリードワイヤー１４ｂは切断されて切り離される。
【００３２】
したがって、このコンパクト形ランプ１によれば、この回路基板４ａと口金ピン５ａとの間にヒューズ６を配置することにより、ヒューズ６の一方のリードワイヤー１４ａの回路基板４ａ上での曲げ部までの距離を長くしたので、ヒューズ６の破損の低減を図ることができる。
【００３３】
また、このために、一方の口金ピン５ａの開口先端５ｆをかしめるときに、その開口先端５ｆから外方へ突出する突出端部を外方へ引張り、リードワイヤー１４ａをほぼ直線状に緊張させるが、回路基板４ａ上で曲げられる他方のリードワイヤー１４ａの曲げ部はヒューズ６の根元から遠く離れているので、この曲げ部に発生する曲げ応力がヒューズ６に作用する影響力を低減できる。このために、はんだ４ｅの破損の低減を期待できる。
【００３４】
さらに、ヒューズ６は、そのリードワイヤー１４ａの引張りによる引張応力に対する強度は強いので、その引張りによるヒューズ６の破損の虞を低減できる。なお、ヒューズ６の位置決めやリードワイヤー１４ａ，１４ｂの引張応力低減のために、カバー本体３ａ内に形成されたヒューズ６を支持するための支持部材をヒューズ６と口金ピン５ａ，５ｂの間に介在させるなどしても構わない。
【００３５】
図３は本発明の第２の実施形態に係るコンパクト形ランプの要部の一部を縦断面で示す拡大図である。この第２の実施形態は、上記第１の実施形態に係る口金ピン５ａのカバー本体３ａ側開口部に挿入した点に特徴がある。
【００３６】
この口金ピン１５ａは、カバー本体３の底面部３ｄ側の開口端部１５ｂを、底面部３ｄよりも内側の収容部１１内へ若干突出させ、この突出端部を、ヒューズ６の軸方向一端部６ａが着脱可能に挿入される挿入部１５ｂに挿入した点に特徴があり、これ以外の構成は第１実施形態と同様である。
【００３７】
この実施形態によれば、ヒューズ６の軸方向一端部６ａを挿入部１５ｂに挿入させることにより、このヒューズ６の軸方向一端部６ａを支持することができるので、コンパクト形ランプ１の運搬時等の振動により、ヒューズ６がカバー本体３ａ内でガタつくことを低減できる。また、このヒューズ６のガタツキによりリードワイヤー１４ａ，１４ｂが振動して破断する等の虞を低減できる。
【００３８】
挿入部１５ｂは、口金ピン１５ａの開口端部１５ｂを、例えばへら絞り等により漏斗状に拡径する板金加工等により形成される。但し、挿入部１５ｂの形状はヒューズ６の軸方向一端部６ａを挿入し得る形状であればよく、漏斗状には限定されない。
【００３９】
なお、本実施形態は、ヒューズ６を、回路基板４ａとカバー本体３ａの底面部３ｄとの間に配設すればよく、ヒューズ６の一端部を回路基板４ａの一端部の上方（図１では右側方）に重なるように配設してもよい。また、基体本体３ａの底面部３ｄの内面からヒューズ６の軸方向一端部６ａ（すなわち頭部）を離間させているが、このヒューズ６を、その軸方向一端部６ａが底面部３ｄの内面に当接した状態で配設し、ヒューズ６が底面部３ｄ側へ移動するのを底面部３ｄにより阻止するように構成してもよい。
【００４０】
すなわち、口金ピン５ａの開口先端５ｆをかしめるために、この開口先端５ｆから外方へ突出した一方のリードワイヤー１４ｂの突出端部を外方へ引張った場合には、ヒューズ６の軸方向一端（頭部）６ａがカバー本体３ａの底面部３ｄの内面に当接しているので、このリードワイヤー１４ｂのたわみの修正が可能であると共に、ヒューズ６の反対側のリードワイヤー１４ｂの過度の引張りを阻止し、その引張りによる曲げ応力の発生を防止または抑制できる。
【００４１】
図４は本発明の第３の実施形態に係る照明器具２１の一部切欠正面図である。この照明器具２１は、上記コンパクト形ランプ１、ソケット２２、器具本体２３およびポール２４を具備している。
【００４２】
器具本体２３は、例えば金属や樹脂等により正面形状が横長のほぼ長方形で、側断面形状がほぼ円弧状に形成され、器具本体２３の内面には反射面２３ａが形成されている。
【００４３】
器具本体２３は、その長手方向一端部内面に、ソケット２２を一体に形成しており、このソケット２２の図示しないソケット孔内に上記コンパクト形ランプ１の一対の口金ピン５ａ，５ｂが着脱自在に装着される。これにより、コンパクト形ランプ１が同時に器具本体２３に装着される。また器具本体２３には、例えばその長手方向一端部に支柱であるポール２４が固定される。ポール２４は撓曲可能に構成されてもよい。
【００４４】
この照明器具２１によれば、上記コンパクト形ランプ１を具備しているので、このコンパクト形ランプ１とほぼ同様の作用効果を奏することができる。
【００４５】
なお、上記実施形態では、発光管２としてＬＥＤ発光モジュール８を光源として組み付ける場合について説明したが、本発明はこれに限定されるものではなく、例えば発光管２としては蛍光ランプでもよい。また蛍光ランプは直線形や屈曲形等、形状には限定されない。
【００４６】
以上、本発明の幾つかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置換え、変更を行うことができる。これら実施形態やその変形は、発明の範囲や要旨に含まれるとともに、特許請求の範囲に記載された発明とその均等の範囲に含まれる。
【符号の説明】
【００４７】
１…コンパクト形ランプ、２…発光管、３…カバー（基体）、３ａ…カバー本体（基体本体）、３ｂ…上面部（支持部）、３ｄ…底面部、４…点灯回路、４ａ…回路基板、４ｂ…点灯回路部品、５ａ，５ｂ…一対の口金ピン、６…ヒューズ、１１…収容部、１２ａ，１２ｂ…一対の導入線、１３ａ，１３ｂ、１４ａ，１４ｂ…リードワイヤー（リード線）、１５ａ…口金ピン、１５ｂ…挿入部。
【図１】
2012094451.tif 000003
【図２】
2012094451.tif 000004
【図３】
2012094451.tif 000005
【図４】
2012094451.tif 000006